(57)【要約】【課題】簡易な構成の発泡機構を有する吐出器を提供する。【解決手段】  吐出器本体２のスライド筒５２が筒軸方向Ｘ外方へ最も進んだ第２ポジションで射出孔４４から吐出される液体がスライド筒５２に当たって発泡し、かつスライド筒５２が筒軸方向Ｘ内方へ最も退いた第１ポジションで射出筒３４から吐出される液体がスライド筒５２に衝突せずに霧状のままで外方へ放出されるように構成されている。前記スライド筒５２は、その筒軸方向Ｘの内外両側部分である基部５２ａ及び先部５２ｃの間に空気孔Ｈを開口する中間部５２ｂを有し、少なくとも前記基部５２ａが常に射出筒３４の外周面に嵌合されており、前記第２ポジションで前記先部５２ｃ内の空間Ｂが前記空気孔Ｈに連通しているように、前記第１ポジションを定める第１位置決め手段Ａ１及び前記第２ポジションを定める第２位置決め手段Ａ２を設けた。【選択図】図１
2018016394.tif 000002
【特許請求の範囲】
【請求項１】
外方へ突出する射出筒(３４)の先端(３６)に、液体を霧状に吐出可能な射出孔(４４)が開口されており、容器体の口頸部へ装着することが可能である吐出器本体(２)と、
前記射出筒(３４)の外周面へ筒軸方向(Ｘ)への進退が可能に嵌合されたスライド筒(５２)を含み、かつこのスライド筒(５２)が射出筒(３４)の先端(３６)よりも前記筒軸方向(Ｘ)外方へ突出できるように形成した発泡手段(５０)と、
を具備し、
スライド筒(５２)が筒軸方向(Ｘ)外方へ最も進んだ第２ポジションで射出孔(４４)から吐出される液体がスライド筒(５２)に当たって発泡し、かつスライド筒(５２)が筒軸方向(Ｘ)内方へ最も退いた第１ポジションで射出筒(３４)から吐出される液体がスライド筒(５２)に衝突せずに霧状のままで外方へ放出されるように構成された泡・霧切替式吐出器であって、
前記スライド筒(５２)は、その筒軸方向(Ｘ)の内外両側部分である基部(５２ａ)及び先部(５２ｃ)の間に空気孔(Ｈ)を開口する中間部(５２ｂ)を有し、少なくとも前記基部(５２ａ)が常に射出筒(３４)の外周面に嵌合されており、前記第２ポジションで前記先部(５２ｃ)内の空間(Ｂ)が前記空気孔(Ｈ)に連通しているように、前記第１ポジションを定める第１位置決め手段(Ａ１)及び前記第２ポジションを定める第２位置決め手段(Ａ２)を設けたことを特徴とする、泡・霧切替式吐出器。
【請求項２】
前記第２位置決め手段(Ａ２)は、前記射出筒(３４)の先端(３６)寄りの外周面から突設された第２ストッパ(３８Ｂ)と、前記スライド筒(５２)の基部(５２ａ)内面に付設された、第２ストッパとの係合用突部(５６)とからなることを特徴とする請求項１記載の泡・霧切替式吐出器。
【請求項３】
前記スライド筒(５２)の内面に先部(５２ｃ)から基部(５２ａ)に亘って前記第２ストッパ(３８Ｂ)を案内するための案内溝(５４)が延びており、
案内溝(５４)は、前記スライド筒(５２)の筒軸方向(Ｘ)内方の基端面(５３Ｂ)に開口された第２ストッパ(３８Ｂ)用の挿入口(５８)を有しており、
当該基部(５２ａ)の内面には、案内溝(５４)内に位置させて前記係合用突部(５６)が設けられており、
前記挿入口(５８)から挿入された第２ストッパ(３８Ｂ)が係合用突部(５６)を乗り越えて前記先部(５２ｃ)の案内溝(５４)部分内へ移動可能に形成したことを特徴とする請求項２記載の泡・霧切替式吐出器。
【請求項４】
第１位置決め手段(Ａ１)は、スライド筒(５２)が第１ポジションにあるときに、当該スライド筒(５２)の先端面(５３Ａ)が射出筒(３４)の先端(３６)と筒軸方向(Ｘ)の同一位置或いは当該先端より内側の位置に在るように形成されており、
前記発泡手段(５０)は、前記先部(５２ｃ)外周面に付設された指掛け用突部(６０)を有することを特徴とする、請求項１から請求項３のいずれかに記載の泡・霧切替式吐出器。
【請求項５】
前記第１位置決め手段(Ａ１)は、前記スライド筒(５２)の筒軸方向内側の基端面(５３Ｂ)と、射出筒(３４)の外周面に付設された第１ストッパ(３８Ａ)とを相互に当接可能に配置させてなることを特徴とする、請求項１から請求項４の何れかに記載の泡・霧切替式吐出器。
【発明の詳細な説明】
【技術分野】
【０００１】
本発明は、泡・霧切替式吐出器に関する。
【背景技術】
【０００２】
従来技術として、
前方へ突出する射出筒を有し、トリガーで操作できる吐出器本体と、
基板の後面から２重筒状の内筒及び外筒を後方突出し、その内筒を前記射出筒の外周面に嵌合するとともに、内筒内側の基板部分に射出孔を開口し、かつ前記基板の外周部から案内筒部を前方突出した基盤部材と、
前記案内筒部の外周面にスライド可能に嵌合させたスライド筒の前端から内向きフランジを介して発泡筒部を後方突出させた発泡手段と
を具備し、前記スライド筒の前後方向の進退により、射出孔から霧状の吐出された液体が発泡筒に衝突して泡として放出される泡吐出モードと、発泡筒に衝突せずに霧状のまま放出される霧吐出モードとを切り替えることが可能な泡・霧切替式吐出器が知られている（特許文献１）。
【先行技術文献】
【特許文献】
【０００３】
【特許文献１】特開平０９−２７８０５２
【発明の概要】
【発明が解決しようとする課題】
【０００４】
吐出器、特にトリガーで操作される吐出器では、全体を簡易な構成として小型に形成したいという要請がある。
特許文献１の吐出器での発泡の仕組みは構造が複雑であり、こうした小型のタイプの吐出器に適していない。
【０００５】
本発明の目的は、簡易な構成の発泡機構を有する吐出器、特に小型のタイプに適した簡易な構造の発泡機構を有する吐出器を提供することである。
【課題を解決するための手段】
【０００６】
第１の手段は、
外方へ突出する射出筒３４の先端３６に、液体を霧状に吐出可能な射出孔４４が開口されており、容器体の口頸部へ装着することが可能である吐出器本体２と、
前記射出筒３４の外周面へ筒軸方向Ｘへの進退が可能に嵌合されたスライド筒５２を含み、かつこのスライド筒５２が射出筒３４の先端３６よりも前記筒軸方向Ｘ外方へ突出できるように形成した発泡手段５０と、
を具備し、
スライド筒５２が筒軸方向Ｘ外方へ最も進んだ第２ポジションで射出孔４４から吐出される液体がスライド筒５２に当たって発泡し、かつスライド筒５２が筒軸方向Ｘ内方へ最も退いた第１ポジションで射出筒３４から吐出される液体がスライド筒５２に衝突せずに霧状のままで外方へ放出されるように構成された泡・霧切替式吐出器であって、
前記スライド筒５２は、その筒軸方向Ｘの内外両側部分である基部５２ａ及び先部５２ｃの間に空気孔Ｈを開口する中間部５２ｂを有し、少なくとも前記基部５２ａが常に射出筒３４の外周面に嵌合されており、前記第２ポジションで前記先部５２ｃ内の空間Ｂが前記空気孔Ｈに連通しているように、前記第１ポジションを定める第１位置決め手段Ａ１及び前記第２ポジションを定める第２位置決め手段Ａ２を設けた。
【０００７】
本手段では、図１に示すように、吐出器本体２の射出筒３４に進退可能なスライド筒５２の中間部５２ｂに空気孔Ｈを開口している。前記スライド筒５２が射出筒３４の筒軸方向Ｘ外側へ進んだ第２ポジションにあるときに、空気孔Ｈとスライド筒５２の先部５２ｃ内の空間Ｂとが連通するとともに、射出孔４４から吐出された霧状の液体がスライド筒５２と衝突し、前記スライド筒５２が射出筒３４の筒軸方向Ｘ内側へ退いた第１ポジションにあるときに、射出孔４４から吐出された液体が前記スライド筒５２と衝突せずに霧状のまま外部に放出されるようにしている。前記スライド筒５２が液体と衝突する発泡筒を兼ねるので、簡易な構成となる。
【０００８】
「筒軸方向」とは、スライド筒（或いは射出筒）の突出方向と同義である。図示例では、ほぼ水平方向へ突出しているが、突出方向は任意である。
本明細書において、“先端”或いは“先部”とは、本体から外方へ突出する射出筒或いはこれに嵌合させたスライド筒の両端或いは両側のうち突出方向外側にある方をいい、“基端”又は“基部”とは、突出方向と反対側にある方をいうものとする。
【０００９】
第２の手段は、第１の手段を有し、かつ
前記第２位置決め手段Ａ２は、前記射出筒３４の先端３６寄りの外周面から突設された第２ストッパ３８Ｂと、前記スライド筒５２の基部５２ａ内面に付設された、第２ストッパとの係合用突部５６とからなる。
【００１０】
本手段では、図２において、第２位置決め手段Ａ２を、前記射出筒３４の先端３６寄りの外周面から突設された第２ストッパ３８Ｂと、前記スライド筒５２の基部５２ａ内面に付設された係合用突部５６とで構成している。射出筒３４の内面及びスライド筒５２の外周面に凸部を設けているだけであるから簡易な構造で第１位置決め手段Ａ１を実現できる。
【００１１】
第３の手段は、第２の手段を有し、かつ
前記スライド筒５２の内面に先部５２ｃから基部５２ａに亘って前記第２ストッパ３８Ｂを案内するための案内溝５４が延びており、
案内溝５４は、前記スライド筒５２の筒軸方向Ｘ内方の基端面５３Ｂに開口された第２ストッパ３８Ｂ用の挿入口５８を有しており、
当該基部５２ａの内面には、案内溝５４内に位置させて前記係合用突部５６が設けられており、
前記挿入口５８から挿入された第２ストッパ３８Ｂが係合用突部５６を乗り越えて前記先部５２ｃの案内溝５４部分内へ移動可能に形成した。
【００１２】
本手段では、スライド筒５２の内面に第２ストッパ３８Ｂを案内するための案内溝５４が延びている。この案内溝５４がスライド筒５２の基端面５３Ｂに開口する挿入口５８を有し、この挿入口５８から第２ストッパ３８Ｂを挿入できるから、組み付けが簡単である。
【００１３】
第４の手段は、第１の手段から第３の手段の何れかを有し、かつ
第１位置決め手段Ａ１は、スライド筒５２が第１ポジションにあるときに、当該スライド筒５２の先端面５３Ａが射出筒３４の先端３６と筒軸方向Ｘの同一位置或いは当該先端より内側の位置に在るように形成されており、
前記発泡手段５０は、前記先部５２ｃ外周面に付設された指掛け用突部６０を有する。
【００１４】
本手段では、スライド筒５２が第１ポジションにあるときに、当該スライド筒５２の先端面５３Ａが射出筒３４の先端３６と筒軸方向Ｘの同一位置（図２参照）或いは当該先端３６より内側の位置に在るようにしている。これにより、霧吐出モードを確実に実現できる。
また前記発泡手段５０は、前記先部５２ｃ外周面に付設された指掛け用突部６０を有するので、スライド筒５２を操作する際に射出孔４４に触ってしまうことを回避できる。
【００１５】
第５の手段は、第１の手段から第４の手段の何れかを有し、かつ
第１位置決め手段Ａ１は、前記スライド筒５２の筒軸方向内側の基端面５３Ｂと、射出筒３４の外周面に付設された第１ストッパ３８Ａとを相互に当接可能に配置させてなる。
【００１６】
本手段では、図２に示す如く、前記第１置決め手段Ａ１を、前記スライド筒５２の筒軸方向内側の基端面５３Ｂと、射出筒３４の外周面に付設された第２ストッパ３８Ｂとで形成している。これにより、簡易な構成で第１位置決め手段Ａ１を実現できる。
【発明の効果】
【００１７】
第１の手段に係る発明によれば、射出筒３４の外側に筒軸方向への進退可能に嵌合されたスライド筒５２の中間部５２ｂに空気孔Ｈを有し、スライド筒５２の基部５２ａが常時射出筒３４に嵌合しており、かつ第２ポジションで先部５２ｃ内の空間Ｂが空気孔Ｈと連通するように形成したから、簡易な構成でありながら、泡吐出モードと霧吐出モードとを的確に切り替えることができる。
第２の手段に係る発明によれば、第２位置決め手段Ａ２は、前記射出筒３４の先端３６寄りの外周面から突設された第２ストッパ３８Ｂと、前記スライド筒５２の基部５２ａ内面に付設された係合用突部５６とで形成したから、射出筒３４及びスライド筒５２の構造が複雑となることがない。
第３の手段に係る発明によれば、スライド筒５２の内面を延びる案内溝５４の挿入口５８から第２ストッパ３８Ｂを導入することができるから、射出筒３４をスライド筒５２に組み付ける作業が容易である。
第４の手段に係る発明によれば、スライド筒５２が第１ポジションにあるときに、当該スライド筒５２の先端面５３Ａが射出筒３４の先端３６と筒軸方向Ｘの同一位置或いは当該先端より内側の位置に在るから、射出筒３４の外周面にスライド筒５２を嵌合した簡易な構成でも霧吐出モードを容易に実現することができる。また前記スライド筒５２先端側に指掛け用突部６０を付設したから、この指掛け用突部６０に指を掛けてスライド筒５２を射出筒３４上で進退させる際に指先が射出孔４４付近に触れて液体が着くことを避けることができる。
第５の手段に係る発明によれば、第１位置決め手段Ａ１を、前記スライド筒５２の筒軸方向内側の基端面５３Ｂと、射出筒３４の外周面に付設された第１ストッパ３８Ａで形成したから、射出筒３４及びスライド筒５２の構造が複雑となることがない。
【図面の簡単な説明】
【００１８】
【図１】本発明の第１実施形態に係る泡・霧切替式吐出器の縦断面図である。
【図２】図１の吐出器の要部拡大図である。
【図３】図１の吐出器の霧吐出モードの説明図である。
【図４】図１の吐出器の泡吐出モードの説明図である。
【図５】図１の吐出器の吐出器本体に発泡手段を取り付けるときの説明図である。
【発明を実施するための最良の形態】
【００１９】
図１から図５は、本発明の第１実施形態に係る泡・霧切替式吐出器を示している。この泡・霧切替式吐出器は、吐出器本体２と、発泡手段５０とからなる。これら各部材は、合成樹脂又は金属で形成することができる。
説明の便宜上、まず本発明の基本的な構成から解説する。
【００２０】
吐出器本体２は、シリンダ４と、装着部材８と、保持部材１０と、カバー部材１２と、流路切替え用アダプタ１６と、作動部材２４とで構成されている。下記の吐出器本体の構造は、好適な一実施例であり、適宜変更することができる。本実施形態ではトリガー式の吐出器としているが、例えばヘッドを指で押し下げるような構造でも構わない。
【００２１】
前記シリンダ４は、容器体１００の口頸部１０２に装着するためのものであり、この口頸部１０２上端面への係止用の鍔部６を有し、鍔部６の内周部から垂下するシリンダ周壁を容器体１００内に垂下可能に設ける。鍔部６の上面からは取付筒部６ａを起立しており、鍔部６の裏面にはパッキンＰを形成する。
シリンダ４の下部内面には第１逆止弁Ｖ１を設けている。図示例の第１逆止弁Ｖ１は、シリンダ４は、シリンダ周壁の下部であるテーパ状部と玉弁とで形成している。
【００２２】
前記装着部材８は、前記口頸部１０２の外面へ嵌合（図示例では螺合）可能な装着筒部８ａと、装着筒部８ａの上端から内方突出した内向きフランジ８ｂとを有し、容器体の口頸部１０２の上端面との間に、鍔部６及びパッキンＰを挟持できるように設けている。
保持部材１０は、前記取付筒部６ａに嵌合させた保持筒部１０ａを有し、この保持筒部１０ａ上面に付設したリング状頂壁の内周から案内筒部１０ｂを起立している。
ここで実施形態では、便宜的に図１の左側に向かう方向を“前方”、同図の右側を“後方”と称するものとする。前記保持筒部１０ａの後部側から支持突片１０ｃを起立しており、この上端にカバー部材１２との枢着部１０ｄを有する。
カバー部材１２は、前記枢着部１０ｄを介して前記支持突片１０ｃの上端に枢着され、かつこの枢着部よりも前方へトリガー１３を突出している。カバー部材１２には射出筒３４を挿通するための窓孔が開口されている。なお、カバー部材１２と保持部材１０との間には、カバー部材ロック用のストッパ部材１４が設けられており、当該ロックを解除しない限り、トリガーの操作ができないようにしている。
【００２３】
流路切替え用アダプタ１６は、第１筒状部材１６ａ及び第２筒状部材１６ｂで構成されている。
前記第１筒状部材１６ａは、その上半部と下半部との各内部を仕切る仕切り壁部１７を有し、この仕切り壁部１７の一部に通液孔１７ａを形成している。第１筒状部材１６ａの上半部は、前記シリンダ４の下部に嵌合されている。
また前記第２筒状部材１６ｂは、上下方向中間部が括れた形状としており、当該括れ箇所に連通口２０を有する。第２筒状部材１６ｂの上半部は前記第１筒状部材１６ａの下半部に嵌挿されており、かつ第２筒状部材１６ｂの下半部内には、吸上げパイプが嵌合されている。この吸上げパイプの下端には正立時用吸込口１９が開口されている。また第２筒状部材１６ｂの上半部内に倒立時用補助逆止弁Ｖ３が、かつその下半部内には、正立時用補助逆止弁Ｖ４がそれぞれ形成されている。
また前記連通口２０は、第１筒状部材１６ａ及び第２筒状部材１６ｂの各上半部の間に形成された共通流路２２及び前記通液孔１７ａを介して前記第１逆止弁Ｖ１に連通可能に設けられている。
【００２４】
作動部材２４は、ピストンガイド２６と、ステム３０と、筒状ピストン２８と、ヘッド３２とで構成されている。
前記ピストンガイド２６は、下端閉塞の縦筒部２６ａの下端に鍔状の弁座２６ｂを付設するとともに、弁座の下方へ横断面十字形の垂下板部２６ｃを垂設している。前記縦筒部２６ａの下部には連絡孔２７が開口されている。弁座２６ｂとシリンダ４との間にはコイルスプリングＣが介装されている。
前記ステム３０の上半筒部は、前記縦筒部２６ａに嵌着されて縦筒部の上方へ延びている。ステム３０の下方筒部は、上方筒部から拡開して下方へ延び、前記シリンダ４の上部内へ挿入されている。
前記筒状ピストン２８は、ピストンガイド２６の縦筒部２６ａ外面に嵌挿され、前記シリンダ４の内面に摺接されている。筒状ピストン２８は、弁座２６ｂとステム３０の下方筒部との間で相対的に上下動できるように形成されている。そして筒状ピストン２８と弁座２６ｂの上面とで第２逆止弁Ｖ２を形成している。
【００２５】
前記ヘッド３２は、裏面側から下方へ突出する連結筒部３２ａを有し、この連結筒部をステム３０に連結することにより、ステム３０の上部に付設されている。
ヘッド３２は、前記カバー部材１２の窓孔を介して前方へ突出する射出筒３４を有し、その突出方向の先端３６に、液体を霧状の吐出することが可能な射出孔４４を開口している。
図示例の射出筒３４は、筒体３４ａと、筒体３４ａ内に挿入された棒状のインサート部３４ｂと、筒体３４ａの先端側に嵌挿されたスピン部材３４ｃとで形成されている。
前記インサート部３４ｂの外周面には長手方向に延びる複数の当接リブｆが付設されており、これら当接リブｆが筒体３４ａの内周面に接することで、筒体３４ａとの間に液体流路である間隙ｇを形成している。
前記スピン部材３４ｃは、中央部に射出孔４４を有するオリフィス板４２と、このオリフィス板の外周部から突設した嵌合筒部４０とからなり、この嵌合筒部４０を筒体３４ａとインサート部３４ｂとの間に嵌合させている。前記射出孔４４は間隙ｇに連通しており、またオリフィス板の裏面には公知のスピン機構が形成されている。
【００２６】
前述の基本的構成の作用を解説する。吐出器本体２を容器体１００の口頸部１０２に嵌合させて、正立状態又は倒立状態でトリガーを引くと、第１逆止弁Ｖ１が閉じると共に第２逆止弁Ｖ２が開き、シリンダ４内の液体が連絡孔２７、ステム３０、射出筒３４を通って射出孔４４から吐出される。トリガーを解放すると、第２逆止弁Ｖ２が閉じるとともに、第１逆止弁Ｖ１が開く。そして正立時には正立時用吸込口１９から正立時用逆止弁Ｖ４、連通口２０、共通流路２２を通って液体がシリンダ４内へ入る。また倒立時には倒立時用吸込口１８から倒立時用逆止弁Ｖ３、連通口２０、共通流路２２を通って液体がシリンダ４内へ入る。
【００２７】
本発明においては、吐出器本体２の射出筒３４の先端部外周面に発泡手段５０が取り付けられている。
前記射出筒３４の先端部の外周面には、図２に示す如く、後述のスライド筒５２の動きを規制するための一対の第１ストッパ３８Ａ及び第２ストッパ３８Ｂが突設されている。前記射出筒３４の先端３６の比較的近くに第２ストッパ３８Ｂが、遠くに第１ストッパ３８Ａが射出筒の筒軸方向に一定の距離を於いて配置されている。図示例では、第２ストッパ３８Ｂの背を低く、第１ストッパ３８Ａの背を高く形成している。
第２ストッパ３８Ｂの前側（先端３６に近い側）には、傾斜面Ｓａが形成されている。
【００２８】
発泡手段５０は、スライド筒５２と指掛け用突部６０とで形成されている。
前記スライド筒部５２は、射出筒３４の外周面に対して筒軸方向（図示例では略前後方向）Ｘへの進退が可能に嵌合されており、かつ図４に示す如く前進した状態（第２ポジション）で射出筒３４の先端３６よりも突出可能に形成されている。
スライド筒５２は、基部５２ａと中間部５２ｂと先部５２ｃとを含む。
前記基部５２ａは、図示例においてスライド筒５２の筒壁の後部であり、前記射出筒３４の外周面に常時嵌合されている嵌合筒の役割を有する。もっとも射出筒３４からの基部５２ａの抜け出しを防止するのは、後述の第２位置決め手段Ａ２の機能である。
前記先部５２ｃは、図示例においてスライド筒５２の筒壁の前部であり、射出孔４４から吐出される液体を衝突させて発泡させる発泡筒の役割を有する。
前記中間部５２ｂは、スライド筒５２の筒壁の長手方向中間部分であり、当該中間部５２ｂに空気孔Ｈを開口している。
【００２９】
本実施形態では、前記第２ストッパ３８Ｂを案内するための案内溝５４がスライド筒５２の内周面に筒軸全長に亘って延びている。この案内溝５４の途中には、当該案内溝を切り欠くように前記空気孔Ｈが形成されている。案内溝及び空気孔の位置関係は適宜変更できる。
前記基部５２ａの内面には、案内溝５４内に形成された係止用突部５６が設けられている。この係合用突部５６は、案内溝５４から突出しないように案内溝５４の深さよりも低い背を有する。
第２ストッパ３８Ｂと係合用突部５６とは第２位置決め手段Ａ２を形成する。第２位置決め手段Ａ２は、図４に示すようにスライド筒５２が最も前方へ進出した状態でのスライド筒５２の位置（第２ポジションという）を決める。
他方、スライド筒５２の筒軸方向の内端面５３Ｂ（図示例では後端面）と第１ストッパ３８Ａとは第１位置決め手段Ａ１を形成する。第１位置決め手段Ａ１は、スライド筒５２が最も後退した状態でのスライド筒５２の位置（第１ポジションという）を決める。
これら第１位置決め手段Ａ１及び第２位置決め手段Ａ２により、スライド筒５２の進退の範囲を容易に設定することができる。
なお、スライド筒５２が最も後退した第１ポジションにあるときにおいて、スライド筒５２の前端面（先端面５３Ａ）は、図３に示すように射出筒３４の先端３６と筒軸方向の同じ位置にあるか、或いは当該先端３６よりも内側にあるものとする。これにより、霧吐出モードを容易に実現できる。
【００３０】
本実施形態では、案内溝５４は、スライド筒５２の後端面（基端面５３Ｂ）に開口する挿入口５８を有する。この挿入口５８から第２ストッパ３８Ｂを案内溝５４内へ挿入できるようにして、射出筒３４へのスライド筒５２の組み付けを容易にするためである。
また係合用突部５６の後側には第２傾斜面Ｓｂを形成している。第２ストッパ３８Ｂが係合用突部５６を乗り越えることが可能に形成するためである。これにより前記射出筒３４に対してスライド筒５２が更に組み付け易くなる。
【００３１】
前記指掛け用突部６０はスライド筒５２の先部５２ｃ外周面に付設されている。図示例の指掛け用突部６０は、外向きフランジ状に形成されているが、指を掛けることが可能な形状であればどのような形でも構わない。
【００３２】
前記構成において、霧を吐出するときには、図３に示すようにスライド筒５２が最も後退した第２状態において、トリガーを操作する。そうすると、射出孔４４から吐出した霧状の液体は、スライド筒５２に衝突することなく、外部へ吐出される。
次に泡を吐出する時には、図４に示すようにスライド筒５２を最も前進した第１状態まで引き出す。そうすると、空気孔Ｈがスライド筒５２の先部５２ｃ内の空間Ｂに連通する。この状態でトリガー１３を引くと、射出孔４４から吐出される霧状の液体がスライド筒５２の先部５２ｃの内周面に衝突するとともに、前記空気孔Ｈを介して外気が導入して、発泡し、泡状の液体がスライド筒５２の前方へ放出される。
【００３３】
なお、吐出器本体２の射出筒３４に発泡手段５０を取り付けるときには、図５に示すようにスライド筒５２の第２ストッパ３８Ｂを案内溝５４の挿入口５８に位置合わせして、スライド筒５２の筒孔内へ射出筒３４を挿入する。射出筒３４がスライド筒５２の筒孔内を前進するとともに、図４に示すように第２ストッパ３８Ｂの傾斜面Ｓａが係合用突部５６の傾斜面Ｓｂに乗り上げ、かつ乗り越える。これにより第２ストッパ３８Ｂが係合用突部５６の前方へ移動し、射出筒３４へのスライド筒５２の組付けが完了する。
【符号の説明】
【００３４】
２…吐出器本体  ４…シリンダ  ６…鍔部  ６ａ…取付筒部
８…装着部材  ８ａ…装着筒部  ８ｂ…内向きフランジ
１０…保持部材  １０ａ…保持筒部  １０ｂ…案内筒部  １０ｃ…支持突片
１０ｄ…枢着部  １２…カバー部材  １３…トリガー  １４…ストッパ部材
１６…流路切替え用アダプタ  １６ａ…第１筒状部材  １６ｂ…第２筒状部材
１７…仕切り壁部  １７ａ…通液孔
１８…倒立時用吸込口  １９…正立時用吸込口  ２０…連通口  ２２…共通流路
２４…作動部材  ２６…ピストンガイド  ２６ａ…縦筒部  ２６ｂ…弁座
２６ｃ…垂下板部  ２７…連絡孔  ２８…筒状ピストン
３０…ステム  ３２…ヘッド  ３２ａ…連結筒部
３４…射出筒  ３４ａ…筒体  ３４ｂ…インサート部
３４ｃ…スピン部材  ３６…先端
３８Ａ…第１ストッパ  ３８Ｂ…第２ストッパ
４０…嵌合筒部  ４２…オリフィス板  ４４…射出孔  
５０…発泡手段  ５２…スライド筒  ５２ａ…基部  ５２ｂ…中間部  ５２ｃ…先部
５３Ｂ…基端面（後端面）  ５３Ａ…先端面（前端面）
５４…案内溝  ５６…係合用突部  ５８…挿入口
６０…指掛け用突部
１００…容器体  １０２…口頸部
Ａ１…第１位置決め手段  Ａ２…第２位置決め手段  Ｂ…先部内の空間
Ｃ…スプリング  ｆ…当接リブ  ｇ…間隙  Ｈ…空気孔
Ｐ…パッキン  Ｓａ…固定側の傾斜面  Ｓｂ…可動側の傾斜面
Ｖ１…第１逆止弁  Ｖ２…第２逆止弁
Ｖ３…倒立時用補助逆止弁  Ｖ４…正立時用補助逆止弁  
【図１】
2018016394.tif 000003
【図２】
2018016394.tif 000004
【図３】
2018016394.tif 000005
【図４】
2018016394.tif 000006
【図５】
2018016394.tif 000007